(57)【要約】【課題】術者や被検者に負担を強いることなく、確実に鼻腔内に薬剤を供給しつつ簡単にかつ迅速に鼻腔内を拡張させることのできる鼻腔拡張用補助具を提供する。【解決手段】鼻腔内に挿入して鼻腔を拡げる鼻腔拡張用補助具１００であって、棒状の芯体１と、芯体１の外周を覆って設けられ内部に流体を供給することで所定の一定径に拡がる第一のバルーン部材と、第一のバルーン部材の外側に設けられ第一のバルーン部材より軟質な材料で形成されて鼻腔内に薬剤を塗布する第二のバルーン部材１５とを備えた。鼻腔拡張用補助具１００は、流体の供給により第一のバルーン部材を拡径する際に、第一のバルーン部材の拡径に伴い伸張される第二のバルーン部材１５表面に薬剤を滲出させる機能を有する。【選択図】図１
2010154919.tif 000002
【特許請求の範囲】
【請求項１】
鼻腔内に挿入して該鼻腔を拡げる鼻腔拡張用補助具であって、
棒状の芯体と、
該芯体の外周を覆って設けられ内部に流体を供給することで所定の一定径に拡がる第一のバルーン部材と、
該第一のバルーン部材の外側に設けられ前記第一のバルーン部材より軟質な材料で形成されて前記鼻腔内に薬剤を塗布する第二のバルーン部材と、
を備えた鼻腔拡張用補助具。
【請求項２】
請求項１記載の鼻腔拡張用補助具であって、
前記流体の供給により第一のバルーン部材を拡径する際に、該第一のバルーン部材の拡径に伴い伸張される前記第二のバルーン部材表面に薬剤を滲出させる機能を有する鼻腔拡張用補助具。
【請求項３】
請求項２記載の鼻腔拡張用補助具であって、
前記第一のバルーン部材と前記第二のバルーン部材との間に薬剤が充填され、
前記第二のバルーン部材が、表裏を貫通する多数の微細孔を有し、該第一のバルーン部材の伸張時には前記微細孔が開口して表裏を連通して前記薬剤を滲出させ、縮退時には前記微細孔が閉塞して表裏の連通を遮断する鼻腔拡張用補助具。
【請求項４】
請求項２または請求項３記載の鼻腔拡張用補助具であって、
前記第一のバルーン部材と、前記第二のバルーン部材とを、該芯体の軸線方向に沿って接合して前記芯体の周方向に複数の拡径ポケットを画成し、該複数の拡径ポケットの少なくともいずれかに対して、前記第一のバルーン部材と前記第二のバルーン部材との間に充填する薬剤の種類を他の拡張ポケットと異ならせた鼻腔拡張用補助具。
【請求項５】
請求項４記載の鼻腔拡張用補助具であって、
前記第一および第二のバルーン部材と前記芯体とを、該芯体の軸線方向に沿って接合して、前記複数の拡径ポケットを画成した鼻腔拡張用補助具。
【請求項６】
請求項２〜請求項５のいずれか１項記載の鼻腔拡張用補助具であって、
前記第一のバルーン部材と前記第二のバルーン部材との間の空間に接続される薬剤注入口を有し、該薬剤注入口から前記薬剤を追加供給する薬剤供給手段を備えた鼻腔拡張用補助具。
【請求項７】
請求項１〜請求項６のいずれか１項記載の鼻腔拡張用補助具であって、
前記第二のバルーン部材の外周面を折り畳んだ襞を形成し、隣接する前記襞同士の隙間に薬剤が塗布された鼻腔拡張用補助具。
【請求項８】
請求項１〜請求項７のいずれか１項記載の鼻腔拡張用補助具であって、
前記薬剤が、麻酔薬、血管収縮剤のいずれかを含む鼻腔拡張用補助具。
【請求項９】
請求項１〜請求項８のいずれか１項記載の鼻腔拡張用補助具であって、
前記流体が空気である鼻腔拡張用補助具。
【請求項１０】
請求項１〜請求項９のいずれか１項記載の鼻腔拡張用補助具であって、
前記第一および第二のバルーン部材の非拡径時には前記第二のバルーン部材の最外径が人体の鼻腔孔より小径であり、拡径時には前記第一のバルーン部材が体腔内への非挿入状態で人体の鼻腔孔よりも大きく拡径する鼻腔拡張用補助具。
【請求項１１】
請求項１０記載の鼻腔拡張用補助具であって、
前記第一および第二のバルーン部材の非拡径時において、前記第二のバルーン部材の最外径が２ｍｍ〜４ｍｍにされた鼻腔拡張用補助具。
【請求項１２】
請求項１０または請求項１１記載の鼻腔拡張用補助具であって、
前記第一のバルーン部材の最外径が、体腔内への非挿入状態で前記非拡径時の最外径の少なくとも２倍に拡径可能な鼻腔拡張用補助具。
【発明の詳細な説明】
【技術分野】
【０００１】
本発明は、鼻腔内を拡張する鼻腔拡張用補助具に関する。
【背景技術】
【０００２】
上部消化管の内視鏡は、口腔を通じて内視鏡挿入部を体腔内に挿入する経口挿入を行うものが一般的に用いられている。しかし、内視鏡挿入部が咽喉を通過する際に、舌根に内視鏡挿入部が触れることによる咽喉反射あるいは嘔吐反応が生じ、不快感を伴うものになる。そして、被検者はマウスピースを口に装着した状態で内視鏡挿入部を挿入するため、術者との会話が困難となる。
【０００３】
そこで近年においては、内視鏡挿入部の細径化が図られ、内視鏡の挿入経路として前述した口腔のみならず、経鼻的に挿入する方式が採用されている。内視鏡挿入部を鼻腔から挿入すると、嘔吐感を生じることが少なく、被検者の負担を軽減できる。また、術者との会話や呼吸が楽に行える利点から、今後は経鼻挿入式の内視鏡検査が増大することが予想される（例えば特許文献１参照）。
【０００４】
ところで、内視鏡挿入部を鼻腔内に挿入する際に、この挿入部が異物として作用して敏感な鼻腔粘膜を刺激することになり、被検者に負担を与えることがある。そこで、挿入部を挿入する前の段階で、鼻腔内の挿入経路のうち、特に最も狭い個所、つまり中鼻道（または下鼻道）を経て後鼻孔に至る経路を拡張させ、さらに刺激に対する感度を低下させる処置を施している。この処置では、例えば、複数の異なる径を有する可撓性チューブを、径の小さいものから大きいものを順に麻酔薬や血管収縮剤を含ませながら鼻腔内に挿入し、鼻腔内を徐々に拡張させている。
【０００５】
ところが、このような方式は手間がかかり、術者や被検者への負担が増える要因になっている。また、鼻腔に挿入する可撓性チューブは、麻酔薬や血管収縮剤を鼻腔内に行き渡らせるために回動しながら挿入する等の操作が面倒なもので、しかも、鼻腔内の狭い部分に薬剤が塗れなかったり、狙った箇所以外にも麻酔薬や血管収縮剤が及ぶことがある。
【特許文献１】特開２００６−３２６０６３号公報
【発明の開示】
【発明が解決しようとする課題】
【０００６】
本発明は、上記に鑑みてなされたもので、術者や被検者に負担を強いることなく、確実に鼻腔内に薬剤を供給しつつ簡単にかつ迅速に鼻腔内を拡張させることのできる鼻腔拡張用補助具を提供することを目的とする。
【課題を解決するための手段】
【０００７】
本発明は下記構成を有する。
鼻腔内に挿入して該鼻腔を拡げる鼻腔拡張用補助具であって、
棒状の芯体と、
該芯体の外周を覆って設けられ内部に流体を供給することで所定の一定径に拡がる第一のバルーン部材と、
該第一のバルーン部材の外側に設けられ前記第一のバルーン部材より軟質な材料で形成されて前記鼻腔内に薬剤を塗布する第二のバルーン部材と、
を備えた鼻腔拡張用補助具。
【発明の効果】
【０００８】
本発明の鼻腔拡張用補助具によれば、術者や被検者に負担を強いることなく、確実に鼻腔内に薬剤を供給しつつ簡単にかつ迅速に鼻腔内を拡張できる。
【発明を実施するための最良の形態】
【０００９】
以下、鼻腔拡張用補助具について、図面を参照して詳細に説明する。
図１は本発明の実施形態を説明する鼻腔拡張用補助具の全体構成図である。
鼻腔拡張用補助具１００は、鼻腔内に挿入して鼻腔を拡げる用途に供せられる。内視鏡を挿入する鼻腔内の狭い部分の拡張、鼻腔内の狭い部分への薬剤塗布、狭い部分以外への薬剤塗布を、拡径可能な二重バルーンを備えることで実現している。なお、本明細書中、「拡径」とは補助具が膨らむことを意味し、「拡張」とは鼻腔が拡がることを意味する。
【００１０】
鼻腔拡張用補助具１００は、シリコン、ラテックス、ポリエチレン等の軟性弾性体からなる棒状の芯体１を有する。芯体１の一端（基端）にはコネクタ部３が連設され、コネクタ部３はエア供給ポンプ５からの接続チューブ７が着脱自在な接続部９を備える。エア供給ポンプ５は、例えば弾性材料からなる袋体部を把持することにより、内部空気を接続チューブ７へ圧送する取扱いが容易な簡素なポンプであってもよく、その他にシリンジ等を用いたポンプであってもよい。
【００１１】
鼻腔拡張用補助具１００は、空気などの気体を注入流体として用いることで、処置室等の環境内雰囲気が簡便に利用でき、また、鼻腔内壁からの反力を受けての圧縮をソフトに行うことが可能となり、鼻腔拡張時の痛みがより生じ難くなる。なお、気体の種類としては空気に限ることなく、医療施設で準備可能で人体に害とならない気体であれば使用可能である。
【００１２】
また、簡素なポンプ以外にも、電動式のエア供給ポンプ５を使用してもよい。その場合は、エア供給ポンプ５による拡径で過剰にバルーンが膨張しないように、所定の一定圧で開放される安全弁やバルーンの一定以上の拡径を規制する拘束部材等を設けることが好ましい。
【００１３】
さらに、注入流体としては、空気等の気体の他、生理食塩水や油などの適宜な液体を用いることもできる。液体は圧力によって殆ど収縮しないことから、鼻腔拡張動作の圧力制御をより正確に行える。
【００１４】
図２は図１のＡ−Ａ断面図である。
芯体１には、外周を覆って設けられ内部に上記エア供給ポンプ５から送気される空気を供給することで、所定の一定径に拡がる第一のバルーン部材（以下、「拡張用バルーン」と称す）１３が設けられる。拡張用バルーン１３の外側には、鼻腔内に薬剤を塗布する第二のバルーン部材（以下、「薬剤供給用バルーン」と称す）１５が設けられる。
【００１５】
拡張用バルーン１３は、挿入側の先端が閉じられたチューブ状であり、芯体１に外挿されて、基端が芯体１の外周に密着して塞がれる。薬剤供給用バルーン１５は、挿入側の先端が閉じられ、拡張用バルーン１３に外挿されて、基端が拡張用バルーン１３の基端若しくは芯体１に直接密着して塞がれる。したがって、拡張用バルーン１３と薬剤供給用バルーン１５の間には間隙が形成されて、二重バルーン構造を形成する。これら、拡張用バルーン１３および薬剤供給用バルーン１５は、シリコン、ラテックス、ポリエチレン等の軟性弾性体を用いて形成され、薬剤供給用バルーン１５は、拡張用バルーン１３より軟質な材料で形成される。
【００１６】
拡張用バルーン１３は、軟性弾性体であるが、拡径後に軸線に沿って径を一定に保持できる程度の硬さを有している。これは、柔らかすぎると局所的に膨らんで、全体として内視鏡が挿通できる程の鼻腔拡張がなされないためである。薬剤供給用バルーン１５は、使用前の初期状態では、例えば外径φ３ｍｍ程度であり、拡径状態で外径φ６ｍｍ程度となる。これにより、内視鏡に対する鼻腔拡張の前処置が可能となる。
【００１７】
本構成では、鼻腔拡張用補助具１００を軸線まわりに回動させることなく挿入できるもので、簡単に鼻腔への装着が可能となる。しかも、差し替えする必要もなく、一旦挿入したら、挿入したままの状態で鼻腔を拡張できる。
【００１８】
薬剤は、基本的に薬剤供給用バルーン１５の外周に予め塗布しておくことができるが、バルーンが膨らんで自動的に滲出するようにしてもよい。すなわち、この鼻腔拡張用補助具１００は、エアの供給により拡張用バルーン１３を拡径する際に、拡張用バルーン１３の拡径に伴い伸張される薬剤供給用バルーン１５の表面に薬剤を滲出させる機能を有する。鼻腔内を拡張させる拡張用バルーン１３の拡張動作と同時に、薬剤供給用バルーン１５の表面から薬剤を滲み出させる構成とすることで、薬剤供給のための操作を省力化でき、迅速な前処置が可能となる。
【００１９】
ここで、薬剤を滲み出させる構成について説明する。
図２に示すように、芯体１の外周には、内側の拡張用バルーン１３と外側の薬剤供給用バルーン１５が配置される。拡張用バルーン１３は、鼻腔拡張用であり軸方向に沿って所定の均一径に拡がるように、厚めのゴム材料等からなる。薬剤供給用バルーン１５は、鼻腔内への薬剤塗布用であり、使用前の状態では外周面を折り畳んで襞１７を形成している。折り畳まれた襞１７の裏側には薬剤（麻酔薬）２１が充填されている。つまり、薬剤２１は、折り畳まれた襞１７に覆われており、襞１７に覆われた薬剤２１は、薬剤供給用バルーン１５の伸張時に、襞１７が伸ばされることで、襞１７の隙間から表出する。また、薬剤供給用バルーン１５の外表面１９には、血管収縮剤や潤滑剤等の薬剤（図示せず）が塗布される。潤滑剤は薬剤供給用バルーン１５にコーティングされるものであってもよく、例えばポリビニルピロリドン、アクリル樹脂、シリコン樹脂等が用いられる。
【００２０】
上記のように、拡径時に必要となる薬剤供給用バルーン１５の円周長は、円周方向に上層、下層に重なり合って折り畳まれた襞１７となり、その結果、拡張前に小径での薬剤供給用バルーン１５の収納が可能となっている。また、襞１７の下層と隣接する襞１７の上層との間に薬剤充填空間が確保でき、かつその薬剤充填空間を、薬剤供給用バルーン１５の所望部位での拡径によって容易に開放させ、薬剤２１を目的部位のみに確実に塗布できるようになっている。襞１７については、一度伸びたら戻らない構造が好ましく、例えばプリーツ（ｐｌｅａｔ）構造がよい。プリーツ構造であれば、挿入時には径が小さく、かつ邪魔にならない構成にできる。なお、襞１７は、折り畳まれた状態でゼラチン等により固着させておくことが好ましく、その場合には、鼻腔内への挿入時に襞１７が不意に開くことなく、挿入後に体液や呼気に含まれる水蒸気により緩み、伸ばされることになる。
【００２１】
薬剤２１は、麻酔薬、血管収縮剤の少なくともいずれかを含む。麻酔薬としては、例えばキシロカイン等を用いることができる。麻酔薬血管収縮剤としては、例えば、０．０２５〜０．５％のフェニレフリン、または塩酸オキシメタゾリン（ネオシネフリンまたはアフリン）を用いることができる。麻酔薬が塗布されると、敏感な鼻腔粘膜で生じやすい痛みが緩和される。血管収縮剤が塗布されると、血管収縮により鼻腔内を拡張でき、また、出血を抑えることができる。
【００２２】
図３は芯体基端に設けられたコネクタ部の拡大断面図である。
芯体１には、エア流路２３が形成され、接続チューブ７との間のコネクタ部３に逆止弁２５が設けられている。逆止弁２５は、芯体１内のエア流路２３からの逆流を阻止する。エア流路２３は、拡張用バルーン１３と芯体１との固定部２７の近傍で、芯体１と拡張用バルーン１３の間に開口する。また、エア流路２３には細径取り出し流路２９が分岐され、細径取り出し流路２９は拡張用バルーン１３と薬剤供給用バルーン１５の固定部３１の近傍で、拡張用バルーン１３と薬剤供給用バルーン１５の間にエア取り出し流路３５を通じて開口する。また、エア流路２３の基端は、コネクタ部３の後端面で開口し、その後端面に貼着されるシール３３にて塞がれている。
【００２３】
エア供給ポンプ５（図１参照）からのエアは、エア流路２３に接続され芯体１の側面を貫通するエア取り出し流路３５を通じて拡張用バルーン１３と芯体１との間の空間３７に供給される。また、拡張用バルーン１３と薬剤供給用バルーン１５の間の空間３９にもその一部が細径取り出し流路２９を通じて供給される。なお、鼻腔拡張用補助具１００の抜き取り時には、エア供給ポンプ５を停止し、またはエア供給ポンプ５との接続を断ち、例えばシール３３を剥がしたり、破ったりすることでエア流路２３を大気解放し、バルーンを縮径する。
【００２４】
図４（ａ）は拡径前の鼻腔拡張用補助具の斜視図、（ｂ）は拡径後の鼻腔拡張用補助具の斜視図である。
鼻腔拡張用補助具１００は、エア供給前の初期の状態では、図４（ａ）に示すように、拡張用バルーン部材１３および薬剤供給用バルーン部材１５が共に萎んだ縮径状態となっている。このときの薬剤供給用バルーン部材１５の最外径ｄは３ｍｍ程度（例えば２ｍｍ〜４ｍｍ）とされ、人体の鼻腔孔より小径となっている。鼻腔には、入口部に相当し比較的通路径の狭い狭孔部と、比較的通路径の広い広孔部とが存在し、外鼻孔は狭孔部、広孔部、咽頭部を介して上部消化管へ通じている。この３ｍｍ程度に縮径された鼻腔拡張用補助具１００は、上記狭孔部に対しても円滑に挿入することができる。そして、鼻腔拡張用補助具１００の体腔内への挿入後、拡張用バルーン部材１３および薬剤供給用バルーン部材１５にエアが供給されると、外側に配置された薬剤供給用バルーン１５の外径Ｄが非挿入状態で所定の一定の太さに拡径され、図４（ｂ）に示すように襞１７が消失するか、あるいは襞１７の折り畳まれた量が減少する。なお、図４（ｂ）は鼻腔へ挿入していないときの拡径状況を示している。また、拡径時における拡張用バルーン部材１３は、６ｍｍ程度（例えば４ｍｍ〜８ｍｍ）の太さに拡径される。
ここで、拡径時における拡張用バルーン１３の外径は、４ｍｍより小さい場合は、拡張用バルーン１３による拡径量が増加させる必要があり、十分な鼻腔拡張が行えない場合が生じる。また、８ｍｍを超える場合は、内径サイズに個人差がある人体の鼻腔に対して鼻腔拡張用補助具１００を汎用的に使用することができない。
上記の通り、薬剤供給用バルーン１５の最外径は、拡張用バルーン１３および薬剤供給用バルーン１５の非拡径時には人体の鼻腔孔より小径にされ、双方の拡径時には体腔内への非挿入状態で、拡張用バルーン１３が人体の鼻腔孔よりも大きく拡径される。そして、拡径時の拡張用バルーン１３の最外径は、体腔内への非挿入状態で非拡径時の最外径の少なくとも２倍にまで拡径可能となっており、鼻腔を押し広げての鼻腔拡張を確実に行える。
【００２５】
図５（ａ）は鼻腔内に挿入された鼻腔拡張用補助具の拡径前の状況を表す断面図、（ｂ）は拡径後の薬剤塗布状況を表す断面図である。
鼻腔拡張用補助具１００は、図５（ａ）に示すように、縮径状態で鼻腔４１の狭孔部４３に挿入される。この挿入状態で拡径することにより、最初に、鼻腔に拡張用バルーン１３が強く押し当てられ、狭孔部４３が外側へ押し拡げられる。そして、柔軟性を有する薬剤供給用バルーン１５が複雑な内部空間を有する鼻腔４１内の隅々４５，４７にまで拡がり、薬剤を広い範囲に塗布する。すなわち、拡張用バルーン１３の強い腰で押し拡げるとともに、薬剤供給用バルーン１５の柔軟な膜の広がりにより薬剤の塗布を広範に行う。
【００２６】
次に、薬剤を微小襞に保持させる変形例を説明する。
図６（ａ）は微少襞に薬剤を保持させた薬剤供給用バルーンの要部拡大断面図、（ｂ）はその拡径時の要部拡大断面図である。
鼻腔拡張用補助具は、前述の薬剤供給用バルーン１５の表面に薬剤（血管収縮剤や潤滑剤）２１を塗布するが、これら薬剤２１は外周面に塗布する以外にも、例えば、図６（ａ）に示すように、薬剤供給用バルーン１５の表面に蛇腹状の微小な襞（凹凸）４９を多数形成して、この凹凸４９間に薬剤２１を充填しておくことでもよい。図６（ｂ）に示すように、薬剤供給用バルーン１５が拡径し、凹凸４９が拡がると、薬剤２１が表出することとなる。このような微少な凹凸４９は、上記の襞１７に代えて設けてもよく、襞１７と併設してもよい。襞１７と凹凸４９を併設する構成では、襞１７同士の間に充填する薬剤２１と、凹凸４９に充填する薬剤２１を異種のものにすることができる。
【００２７】
次に、薬剤の充填構造の他の例を説明する。
図７は鼻腔拡張用補助具の他の構成例を表す拡大断面図である。なお、図３に示した部材と同一の部材には同一の符号を付し重複する説明は省略する。
この鼻腔拡張用補助具２００の構成における薬剤２１は、拡張用バルーン１３と薬剤供給用バルーン１５の間に充填されている。拡張用バルーン１３と薬剤供給用バルーン１５は、前述のように独立して拡径するものとは異なり、双方が一体的に拡径する。本構成では、拡張用バルーン１３と芯体１との間にエア供給して固定部２７，３１より先端側のバルーンを膨らますと、拡張用バルーン１３が軸方向に沿って所定の一定径に拡径され、充填薬剤２１を介して薬剤供給用バルーン１５も伸張される。エアは、逆止弁２５にて逆流が阻止されるので、しぼみが防止され、膨らんだ状態に維持される。この状態で、密閉空間内の充填薬剤２１に所定の圧力が加えられることになる。
【００２８】
ここで、図８（ａ）に図７のＢ−Ｂ断面の拡径前の断面図、（ｂ）にその拡径後の断面図を示した。
拡張用バルーン１３と薬剤供給用バルーン１５の間に薬剤２１を充填した上記構成においては、薬剤供給用バルーン１５に、表裏を貫通する多数の微細孔５１を有する。微細孔５１は、図８（ａ）に示すバルーンの非拡張時には閉鎖され、薬剤充填空間を密閉状態とする。つまり、薬剤２１を漏洩させない保持が可能となる。一方、拡張用バルーン１３の伸張に伴って薬剤供給用バルーン１５が伸張すると、図８（ｂ）に示すように、微細孔５１が開口して表裏を連通し、薬剤２１が薬剤供給用バルーン１５の表面に滲出する。なお、縮退時には再び微細孔５１が閉塞して表裏の連通を遮断する。
【００２９】
このように、拡張用バルーン１３と薬剤供給用バルーン１５の間に薬剤２１を充填し、薬剤供給用バルーン１５に微細孔５１を設けた構成によれば、薬剤供給用バルーン１５が拡径されると、微細孔５１が開いて内部の薬剤２１が薬剤供給用バルーン１５の表面に滲み出し、接触した鼻腔４１内への塗布が可能となる。一方、鼻腔拡張用補助具１００の引き抜き時には、微細孔５１が閉じられ、残余の薬剤２１が流出しなくなり、薬剤２１の過剰塗布が防止される。
【００３０】
次に、上記構成の鼻腔拡張用補助具の変形例を説明する。
図９は薬剤の後注入を可能とした鼻腔拡張用補助具の要部断面図である。なお、図３に示した部材と同一の部材には同一の符号を付し重複する説明は省略する。
この鼻腔拡張用補助具３００は、拡張用バルーン１３と薬剤供給用バルーン１５との間の空間に接続される薬剤注入口５３を有し、この薬剤注入口５３から薬剤２１を追加供給する薬剤供給手段であるシリンジ５５を備えている。
【００３１】
薬剤２１は、鼻腔拡張用補助具３００の挿入時に必要な他、鼻腔４１が拡張するまで時間のかかる場合に、挿入後、所定時間後に追加注入が必要となる場合がある。この構成例は、エア供給により拡径した状態で、薬剤２１の追加供給を可能にしたものである。拡張用バルーン１３の外側で、薬剤供給用バルーン１５の内側の空間に薬剤供給チューブ５７を薬剤注入口５３を介して接続し、その空間に薬剤２１を追加供給する。
【００３２】
シリンジ５５には薬剤２１を貯留しておき、必要なタイミングで薬剤２１を鼻腔拡張用補助具３００に必要な量だけ送液して鼻腔内へ供給する。これにより、鼻腔内への薬剤２１の供給が不足した場合に、薬剤２１を追加供給することができる。また、拡張用バルーン１３と薬剤供給用バルーン１５との間に予め装填された薬剤とは異なる他種類の薬剤２１（混合可能な薬剤）を、必要なタイミングで追加供給することもできる。例えば、最初に拡張用バルーン１３と薬剤供給用バルーン１５との間に血管収縮剤を充填しておき、鼻腔挿入後にこの血管収縮剤を滲出させ、その後に麻酔薬を追加供給することでもよい。
【００３３】
この構成によれば、拡張用バルーン１３と薬剤供給用バルーン１５との間に充填された薬剤２１が塗布により減少したとき、シリンジ５５から薬剤注入口５３へ薬剤２１を必要に応じて追加補給させることができる。
【００３４】
次に、異種の薬剤を選択的に供給可能にした構成を説明する。
図１０（ａ）は薬剤の２系統注入を可能とする構成例の断面図、（ｂ）はその側面図である。
この鼻腔拡張用補助具４００は、前述の鼻腔拡張用補助具３００の薬剤注入経路をさらに１系統増やした構成としている。つまり、異なる薬剤を異なる場所から注入可能な構成としている。図１０（ａ）に示すように、薬剤供給用バルーン１５を、直径方向の両端部で拡張用バルーン１３に接着する接合部５９，５９を、芯体１の軸線方向に沿って形成する。これにより、拡張用バルーン１３と薬剤供給用バルーン１５との間の空間を第一の空間６１と第二の空間６３に二分割することができる。薬剤供給用バルーン１５にはそれぞれの空間６１，６３に連通する薬剤注入口５３，５３を設ける。
【００３５】
このような分離構造とすることで、シリンジ等からの薬剤供給チューブ５７を介して、異なる種類の薬剤２１を任意のタイミングで鼻腔内へ供給することができ、例えば最初に装填された薬剤２１が不足する場合に、追加して供給することが簡単に行え、しかも選択的に薬剤２１を供給できる。なお、図１０には２系統の例を示したが、これに限らず、任意の複数系統に構成してもよい。
【００３６】
次に、鼻腔拡径用の拡径ポケットを複数備えた鼻腔拡張用補助具の構成を説明する。
図１１は鼻腔拡張用補助具に複数のエア供給ポンプを接続した例を示す構成図である。
鼻腔拡張用補助具５００は、拡張用バルーン１３および薬剤供給用バルーン１５と、芯体１とを、芯体１の軸線方向に沿った複数ラインの接合部５９にて接合して芯体１の周方向に複数の拡径ポケット６５を画成している。この構成では、複数の拡径ポケット６５の少なくともいずれかに対して、前述の拡張用バルーン１３と薬剤供給用バルーン１５の間に充填する薬剤種類を、他の拡径ポケット６５と異ならせることができる。
【００３７】
そして、各拡径ポケット６５がそれぞれ個別に膨らむように構成する。例えば、エア供給ポンプ５を複数（図例では２つ）設けて、複数の拡径ポケット６５がそれぞれ個別に膨らむようにする。勿論、１つのエア供給ポンプ５を分流させてもよい。例えば、円周方向に８つに分割した８つの拡径ポケット６５を設け、交互に位置する４つずつ２グループの拡径ポケット６５群に、１つのエア供給ポンプ５をそれぞれに接続した２系統とすることができる。円周方向に６つの拡径ポケット６５を設け、交互に位置する３つずつ２グループの拡径ポケット６５群に、１つのエア供給ポンプ５をそれぞれに接続した２系統であってもよい。
【００３８】
図１２は図１１に示す各拡径ポケットが膨らんだ状態を表す斜視図である。
複数の拡径ポケット６５を有する構成では、各エア供給ポンプ５からエアが供給され、それぞれの拡径ポケット６５がストライプ状に膨らみ、薬剤供給用バルーン１５が周方向にわたって略均等な外径となって拡径される。円周方向に配置された複数の拡径ポケット６５に異なる薬剤２１が充填されれば、所望の拡径ポケット６５を選択的に拡径することにより、所望の薬剤２１のみを鼻腔４１の拡張と同時に塗布することができる。薬剤供給用バルーン１５を周方向に分割することによる鼻腔拡張作用への影響は、円周方向の分割数を増やせば少なくすることができる。
【００３９】
ここで、拡径ポケットを複数有する場合のエアの供給構造の一例について説明する。
図１３は拡径ポケットを複数有する場合のエアの供給構造を表したコネクタ部近傍の拡大断面図である。
同図に示すように、８つの拡径ポケット（６５Ａのみ図示）を、４つずつ２グループの拡径ポケット群に分けて２系統とする場合、芯体１には、軸線に沿う方向に２つのエア流路２３Ａ，２３Ｂを形成する。これらエア流路２３Ａ，２３Ｂのうち一方を１グループの拡径ポケット６５Ａ群に連通し、他方を２グループの拡径ポケット６５Ｂ群に連通する。
【００４０】
図１４（ａ）は図１３のＣ−Ｃ断面図、（ｂ）は図１３のＤ−Ｄ断面図である。
８つの拡径ポケットを、４つずつ２グループの拡径ポケット群に分けて２系統とする場合、芯体１には、図１４（ａ）に示すように、エア流路２３Ａに連通する直径方向十字状のエア取り出し流路３５Ａと、図１４（ｂ）に示すように、エア流路２３Ｂに連通する直径方向十字状のエア取り出し流路３５Ｂを形成する。エア取り出し流路３５Ａの４つの開口は、１グループの拡径ポケット６５Ａ群に連通させる。エア取り出し流路３５Ｂの４つの開口は、２グループの拡径ポケット６５Ｂ群に連通させる。これのように十字状のエア取り出し流路３５Ａ，３５Ｂにてエア流路２３を分配することで経路を簡単に形成できる。
【００４１】
次に、各拡径ポケットを独立して膨らませることで、薬剤を順次鼻腔内に供給する手順の一例を説明する。ここでは、円周方向に６つの拡径ポケットを設け、交互に位置する３つずつ２グループの拡径ポケット群に、１つのエア供給ポンプをそれぞれに接続した２系統の構成例を用いて説明する。
図１５（ａ）は血管収縮剤が装填された拡径ポケットを拡径した断面図、（ｂ）は麻酔薬が装填された拡径ポケットを拡径した断面図である。
２系統の拡径ポケット６５（１グループの拡径ポケット６５Ａ群、２グループの拡径ポケット６５Ｂ群）を有する鼻腔拡張用補助具５００Ａにてバルーンを拡径するには、図１５（ａ）に示すように、例えば血管収縮剤である薬剤２１が装填された１グループの拡径ポケット６５Ａ群に対してエア供給を行い、拡径ポケット６５Ａ群から血管収縮剤を鼻腔４１内に先に供給する。
【００４２】
この状態で、２グループの拡径ポケット６５Ｂ群は縮径したままで維持され、充填された薬剤２１も保持されたままとなる。拡径ポケット６５Ａ群に充填した薬剤２１の塗布が終了したなら、次いで、図１５（ｂ）に示すように、２グループの拡径ポケット６５Ｂ群を膨らます。これにより、拡径ポケット６５Ａ群から麻酔剤を鼻腔４１内に供給する。このように複数種の薬剤２１を順次、任意のタイミングで供給できる。
【００４３】
したがって、上記の鼻腔拡張用補助具１００，２００，３００，４００，５００，５００Ａによれば、術者や被検者に負担を強いることなく、鼻腔４１内に薬剤２１を供給しつつ簡単にかつ迅速に鼻腔４１内を拡張させることができる。
【００４４】
以上説明したように、本明細書には次の事項が開示されている。
（１）  鼻腔内に挿入して該鼻腔を拡げる鼻腔拡張用補助具であって、
棒状の芯体と、
該芯体の外周を覆って設けられ内部に流体を供給することで所定の一定径に拡がる第一のバルーン部材と、
該第一のバルーン部材の外側に設けられ前記第一のバルーン部材より軟質な材料で形成されて前記鼻腔内に薬剤を塗布する第二のバルーン部材と、
を備えた鼻腔拡張用補助具。
この鼻腔拡張用補助具によれば、第一のバルーンにより鼻腔内が拡張され、さらに第二のバルーンにより薬剤が鼻腔内の広範囲に塗布される。
【００４５】
（２）  （１）の鼻腔拡張用補助具であって、
前記流体の供給により第一のバルーン部材を拡径する際に、該第一のバルーン部材の拡径に伴い伸張される前記第二のバルーン部材表面に薬剤を滲出させる機能を有する鼻腔拡張用補助具。
この鼻腔拡張用補助具によれば、第二のバルーン部材が伸張されることで、第二のバルーン部材表面に薬剤が滲出して鼻腔内に塗布される。
【００４６】
（３）  （２）の鼻腔拡張用補助具であって、
前記第一のバルーン部材と前記第二のバルーン部材との間に薬剤が充填され、
前記第二のバルーン部材が、表裏を貫通する多数の微細孔を有し、該第一のバルーン部材の伸張時には前記微細孔が開口して表裏を連通して前記薬剤を滲出させ、縮退時には前記微細孔が閉塞して表裏の連通を遮断する鼻腔拡張用補助具。
この鼻腔拡張用補助具によれば、第二のバルーン部材に多数の微細孔が形成されることで、第二のバルーン部材の伸張時に、この微細孔を通じて薬剤を滲出させることができ、縮退時には薬剤の滲出させない構造にできる。
【００４７】
（４）  （２）または（３）の鼻腔拡張用補助具であって、
前記第一のバルーン部材と、前記第二のバルーン部材とを、該芯体の軸線方向に沿って接合して前記芯体の周方向に複数の拡径ポケットを画成し、該複数の拡径ポケットの少なくともいずれかに対して、前記第一のバルーン部材と前記第二のバルーン部材との間に充填する薬剤の種類を他の拡張ポケットと異ならせた鼻腔拡張用補助具。
この鼻腔拡張用補助具によれば、複数の拡径ポケットを画成して、それぞれの拡径ポケットに異なる種類の薬剤を充填することで、複数種の薬剤を選択的に鼻腔内に塗布することが可能となる。
【００４８】
（５）  （４）の鼻腔拡張用補助具であって、
前記第一および第二のバルーン部材と前記芯体とを、該芯体の軸線方向に沿って接合して、前記複数の拡径ポケットを画成した鼻腔拡張用補助具。
この鼻腔拡張用補助具によれば、複数の拡径ポケットを選択的に拡径できるので、複数種の薬剤を任意のタイミングで鼻腔内に塗布することができる。
【００４９】
（６）  （２）〜（５）のいずれか１つの鼻腔拡張用補助具であって、
前記第一のバルーン部材と前記第二のバルーン部材との間の空間に接続される薬剤注入口を有し、該薬剤注入口から前記薬剤を追加供給する薬剤供給手段を備えた鼻腔拡張用補助具。
この鼻腔拡張用補助具によれば、薬剤を追加供給することにより、鼻腔内に必要な量を必要なときに塗布することが可能になる。
【００５０】
（７）  （１）〜（６）のいずれか１つの鼻腔拡張用補助具であって、
前記第二のバルーン部材の外周面を折り畳んだ襞を形成し、隣接する前記襞同士の隙間に薬剤が塗布された鼻腔拡張用補助具。
この鼻腔拡張用補助具によれば、襞と襞との間に薬剤を塗布することで、拡径前の挿入時には薬剤が表出せず、挿入後の拡径時に初めて薬剤を表出させることができる。
【００５１】
（８）  （１）〜（７）のいずれか１つの鼻腔拡張用補助具であって、
前記薬剤が、麻酔薬、血管収縮剤のいずれかを含む鼻腔拡張用補助具。
この鼻腔拡張用補助具によれば、麻酔薬の塗布により感覚を鈍らせて被検者の負担を軽減でき、血管収縮剤の塗布により、鼻腔の拡張作用を増大できる。
【００５２】
（９）  （１）〜（８）のいずれか１つの鼻腔拡張用補助具であって、
前記流体が空気である鼻腔拡張用補助具。
この鼻腔拡張用補助具によれば、第一のバルーンを空気により拡径させることで、処置室等の環境内雰囲気で簡単に実施でき、しかも、気体であることにより圧縮が可能となり、鼻腔拡張をソフトに行うことができる。
【００５３】
（１０）  （１）〜（９）のいずれか１つの鼻腔拡張用補助具であって、
前記第一および第二のバルーン部材の非拡径時には前記第二のバルーン部材の最外径が人体の鼻腔孔より小径であり、拡径時には前記第一のバルーン部材が体腔内への非挿入状態で人体の鼻腔孔よりも大きく拡径する鼻腔拡張用補助具。
この鼻腔拡張用補助具によれば、拡径前の鼻腔拡張用補助具を鼻腔内に円滑に挿入でき、かつ拡径後に鼻腔を確実に拡張させることができる。
【００５４】
（１１）  （１０）の鼻腔拡張用補助具であって、
前記第一および第二のバルーン部材の非拡径時において、前記第二のバルーン部材の最外径が２ｍｍ〜４ｍｍにされた鼻腔拡張用補助具。
この鼻腔拡張用補助具によれば、第二のバルーン部材の最大径が鼻腔孔より小径の２ｍｍ〜４ｍｍに形成されることで、人体の鼻腔拡張への利用に汎用性が維持されて、常に安定した鼻腔内への挿入が可能となる。
【００５５】
（１２）  （１０）または（１１）の鼻腔拡張用補助具であって、
前記第一のバルーン部材の最外径が、体腔内への非挿入状態で前記非拡径時の最外径の少なくとも２倍に拡径可能な鼻腔拡張用補助具。
この鼻腔拡張用補助具によれば、第一のバルーン部材の最外径を、非拡径時の最外径のサイズから、少なくとも２倍にまで拡径させることができ、鼻腔孔を確実に拡張することができる。
【図面の簡単な説明】
【００５６】
【図１】本発明の実施形態を説明するための鼻腔拡張用補助具の全体構成図である。
【図２】図１のＡ−Ａ断面図である。
【図３】芯体基端に設けられたコネクタ部の拡大断面図である。
【図４】（ａ）は拡径前の鼻腔拡張用補助具の斜視図、（ｂ）は拡径後の鼻腔拡張用補助具の斜視図である。
【図５】（ａ）は鼻腔内に挿入された鼻腔拡張用補助具の拡径前の状況を表す断面図、（ｂ）は拡径後の薬剤塗布状況を表す断面図である。
【図６】（ａ）は微少襞に薬剤を保持させた薬剤供給用バルーンの要部拡大断面図、（ｂ）はその拡径時の要部拡大断面図である。
【図７】鼻腔拡張用補助具の他の構成例を表す拡大断面図である。
【図８】（ａ）は図７のＢ−Ｂ断面の拡径前の断面図、（ｂ）はその拡径後の断面図である。
【図９】薬剤の後注入を可能とした鼻腔拡張用補助具の要部断面図である。
【図１０】（ａ）は薬剤の２系統注入を可能とする他の構成例の断面図、（ｂ）はその側面図である。
【図１１】鼻腔拡張用補助具に複数のエア供給ポンプを接続した例を示す構成図である。
【図１２】図１１に示す拡径ポケットが膨らんだ状態を表す斜視図である。
【図１３】拡径ポケットを複数有する場合のエアの供給構造を表したコネクタ部近傍の拡大断面図である。
【図１４】（ａ）は図１３のＣ−Ｃ断面図、（ｂ）は図１３のＤ−Ｄ断面図である。
【図１５】（ａ）は血管収縮剤が装填された拡径ポケットを拡径した断面図、（ｂ）は麻酔薬が装填された拡径ポケットを拡径した断面図である。
【符号の説明】
【００５７】
１  芯体
１３  拡張用バルーン（第一のバルーン部材）
１５  薬剤供給用バルーン（第二のバルーン部材）
１７  襞
２１  薬剤
４１  鼻腔
５１  微細孔
５３  薬剤注入口
５５  シリンジ（薬剤供給手段）
６５  拡径ポケット
１００、２００，３００，４００，５００，５００Ａ  鼻腔拡張用補助具
【図１】
2010154919.tif 000003
【図２】
2010154919.tif 000004
【図３】
2010154919.tif 000005
【図４】
2010154919.tif 000006
【図５】
2010154919.tif 000007
【図６】
2010154919.tif 000008
【図７】
2010154919.tif 000009
【図８】
2010154919.tif 000010
【図９】
2010154919.tif 000011
【図１０】
2010154919.tif 000012
【図１１】
2010154919.tif 000013
【図１２】
2010154919.tif 000014
【図１３】
2010154919.tif 000015
【図１４】
2010154919.tif 000016
【図１５】
2010154919.tif 000017